(57)【要約】【課題】スペクトラムアナライザの動作の設定を容易に行えるようにする。【解決手段】スペクトラムアナライザは測定対象信号を受ける。スペクトラムアナライザの表示器２８の表示画面は、測定対象信号の測定値（パワー）を縦軸に、周波数を横軸にとり測定対象信号を表示する。さらに、表示器２８の表示画面にタッチパネルを設ける。スペクトラムアナライザの利用者が、表示画面上の一点３２ａ（ｆ０，Ｐ０）に触れると、その近傍の範囲（周波数ｆ１〜ｆ２、パワーＰ１〜Ｐ２）（ただし、ｆ１＝ｆ０−Δｆ、ｆ２＝ｆ０＋Δｆ、Ｐ１＝Ｐ０−ΔＰ、Ｐ２＝Ｐ０＋ΔＰ）について、測定対象信号の測定値の極大値を検出するピークサーチを行うようにする。これにより、ピークサーチを行う範囲を容易に設定できる。【選択図】  図５
2004347320.tif 000002
【特許請求の範囲】
【請求項１】
測定対象信号を周波数ごとに測定して測定値を出力する測定手段と、
前記測定値を一つの軸に、前記周波数を他の軸にとり前記測定対象信号を表示する表示手段と、
前記表示手段の表示画面における部位を指定する部位指定手段と、
前記部位指定手段により指定された部位に基づき、前記測定手段または前記表示手段の動作を決定する動作決定手段と、
を備えた信号測定表示装置。
【請求項２】
請求項１に記載の信号測定表示装置であって、
前記部位指定手段は、前記表示画面への接触により前記部位を指定する、
信号測定表示装置。
【請求項３】
請求項１に記載の信号測定表示装置であって、
前記部位指定手段は、前記表示画面におけるマーカを操作量に応じて移動させることにより前記部位を指定する、
信号測定表示装置。
【請求項４】
請求項１ないし３のいずれか一項に記載の信号測定表示装置であって、
前記動作決定手段は、前記部位指定手段により指定された部位に基づき、前記測定手段が前記測定値の極大値を検出する検出範囲を決定する、
信号測定表示装置。
【請求項５】
請求項４に記載の信号測定表示装置であって、
前記動作決定手段は、前記部位指定手段により指定された部位の座標から所定値を加算または減算した値に基づき、前記検出範囲を決定する、
信号測定表示装置。
【請求項６】
請求項４に記載の信号測定表示装置であって、
前記動作決定手段は、前記部位指定手段により指定された部位により囲まれた領域に基づき、前記検出範囲を決定する、
信号測定表示装置。
【請求項７】
請求項１ないし３のいずれか一項に記載の信号測定表示装置であって、
前記動作決定手段は、前記部位指定手段により指定された部位に基づき、前記表示手段に前記測定対象信号を拡大表示または縮小表示させる、
信号測定表示装置。
【請求項８】
請求項７に記載の信号測定表示装置であって、
前記動作決定手段は、前記部位指定手段により指定された二つの部位の座標の周波数成分の間の前記測定対象信号を拡大表示させる、
信号測定表示装置。
【請求項９】
請求項１ないし３のいずれか一項に記載の信号測定表示装置であって、
前記動作決定手段は、前記部位指定手段により指定された部位に基づき、前記表示手段が前記測定対象信号を表示する領域を移動させる、
信号測定表示装置。
【請求項１０】
請求項９に記載の信号測定表示装置であって、
前記動作決定手段は、前記部位指定手段により指定された部位の前記表示画面における位置に基づき、前記表示手段が前記測定対象信号を表示する領域を移動させる、
信号測定表示装置。
【請求項１１】
測定対象信号を周波数ごとに測定して測定値を出力する測定手段と、前記測定値を一つの軸に、前記周波数を他の軸にとり前記測定対象信号を表示する表示手段と、前記表示手段の表示画面における部位を指定する部位指定手段とを備えた信号測定表示装置における信号測定表示方法であって、
前記部位指定手段により指定された部位に基づき、前記測定手段または前記表示手段の動作を決定する動作決定工程、
を備えた信号測定表示方法。
【発明の詳細な説明】
【０００１】
【発明の属する技術分野】
本発明はスペクトラムアナライザの動作の設定に関する。
【０００２】
【従来の技術】
従来より、スペクトラムアナライザを使用して、信号の周波数を測定することが行われている。スペクトラムアナライザは、信号の測定結果を、縦軸にパワー、横軸に周波数をとったグラフとして表示する。スペクトラムアナライザの利用者は、スペクトラムアナライザの表示を見て、スペクトラムアナライザの動作を設定する。例えば、パワーのピークを検出する周波数帯域を設定し、拡大して表示する領域を設定し、表示する領域を上下左右に移動させる。
【０００３】
なお、スペクトラムアナライザの表示画面の拡大および縮小を行うことは、特許文献１にも記載がある。
【０００４】
【特許文献１】
特開平１０−２５３６７３号公報（要約）
【発明が解決しようとする課題】
しかしながら、スペクトラムアナライザの動作の設定を行うことは多大な労力を要する。すなわち、スペクトラムアナライザに設けられた様々なボタンやつまみを適切に操作しなければならない。
【０００５】
そこで、本発明は、スペクトラムアナライザの動作の設定を容易に行えるようにすることを課題とする。
【０００６】
【課題を解決するための手段】
請求項１に記載の発明は、測定対象信号を周波数ごとに測定して測定値を出力する測定手段と、測定値を一つの軸に、周波数を他の軸にとり測定対象信号を表示する表示手段と、表示手段の表示画面における部位を指定する部位指定手段と、部位指定手段により指定された部位に基づき、測定手段または表示手段の動作を決定する動作決定手段とを備えるように構成される。
【０００７】
上記のように構成された発明によれば、測定手段は、測定対象信号を周波数ごとに測定して測定値を出力する。表示手段は、測定値を一つの軸に、周波数を他の軸にとり測定対象信号を表示する。部位指定手段は、表示手段の表示画面における部位を指定する。動作決定手段は、部位指定手段により指定された部位に基づき、測定手段または表示手段の動作を決定する。
【０００８】
請求項２に記載の発明は、請求項１に記載の発明であって、部位指定手段は、表示画面への接触により部位を指定するように構成される。
【０００９】
請求項３に記載の発明は、請求項１に記載の発明であって、部位指定手段は、表示画面におけるマーカを操作量に応じて移動させることにより部位を指定するように構成される。
【００１０】
請求項４に記載の発明は、請求項１ないし３のいずれか一項に記載の発明であって、動作決定手段は、部位指定手段により指定された部位に基づき、測定手段が測定値の極大値を検出する検出範囲を決定するように構成される。
【００１１】
請求項５に記載の発明は、請求項４に記載の発明であって、動作決定手段は、部位指定手段により指定された部位の座標から所定値を加算または減算した値に基づき、検出範囲を決定するように構成される。
【００１２】
請求項６に記載の発明は、請求項４に記載の発明であって、動作決定手段は、部位指定手段により指定された部位により囲まれた領域に基づき、検出範囲を決定するように構成される。
【００１３】
請求項７に記載の発明は、請求項１ないし３のいずれか一項に記載の発明であって、動作決定手段は、部位指定手段により指定された部位に基づき、表示手段に測定対象信号を拡大表示または縮小表示させるように構成される。
【００１４】
請求項８に記載の発明は、請求項７に記載の発明であって、動作決定手段は、部位指定手段により指定された二つの部位の座標の周波数成分の間の測定対象信号を拡大表示させるように構成される。
【００１５】
請求項９に記載の発明は、請求項１ないし３のいずれか一項に記載の発明であって、動作決定手段は、部位指定手段により指定された部位に基づき、表示手段が測定対象信号を表示する領域を移動させるように構成される。
【００１６】
請求項１０に記載の発明は、請求項９に記載の発明であって、動作決定手段は、部位指定手段により指定された部位の表示画面における位置に基づき、表示手段が測定対象信号を表示する領域を移動させるように構成される。
【００１７】
請求項１１に記載の発明は、測定対象信号を周波数ごとに測定して測定値を出力する測定手段と、測定値を一つの軸に、周波数を他の軸にとり測定対象信号を表示する表示手段と、表示手段の表示画面における部位を指定する部位指定手段とを備えた信号測定表示装置における信号測定表示方法であって、部位指定手段により指定された部位に基づき、測定手段または表示手段の動作を決定する動作決定工程を備えるように構成される。
【００１８】
【発明の実施の形態】
以下、本発明の実施形態を図面を参照しながら説明する。
【００１９】
第一の実施形態
図１は、第一の実施形態にかかるスペクトラムアナライザ（信号測定表示装置）１の構成を示すブロック図である。第一の実施形態にかかるスペクトラムアナライザ（信号測定表示装置）１は、掃引信号発生器１０、ローカル発振器１２、ミキサ１４、中間周波数フィルタ１６、検波器（測定手段）１８、Ａ／Ｄ変換器２０、測定データ記録部２２、測定データ読出部（測定手段）２４、表示器（表示手段）２８、タッチパネル（部位指定手段）３２、ポインティングデバイス（部位指定手段）３４、指定部位判定部３６、ピーク判定領域決定部（動作決定手段）３８を備える。
【００２０】
掃引信号発生器１０は、ローカル発振器１２の発するローカル信号の周波数を掃引するための掃引信号を発生する。掃引信号は、ローカル発振器１２に与えられる。
【００２１】
ローカル発振器１２は、ローカル信号を発生する。ローカル信号の周波数は、掃引信号に基づき変化する。すなわち、周波数掃引が行われる。ローカル信号は、ミキサ１４に与えられる。
【００２２】
ミキサ１４は、測定対象信号とローカル信号とを混合して出力する乗算器である。
【００２３】
中間周波数フィルタ１６は、ミキサ１４の出力から、所定の中間周波数の信号を取り出す。
【００２４】
検波器（測定手段）１８は、中間周波数フィルタ１６により取り出された信号を検波する。検波により、測定対象信号における周波数ごとのパワーが得られる。
【００２５】
Ａ／Ｄ変換器２０は、検波器１８の出力（アナログ信号である）をデジタル信号に変換する。
【００２６】
測定データ記録部２２は、Ａ／Ｄ変換器２０の出力を記録する。測定データ記録部２２の記録内容を測定データという。測定データは、測定対象信号を周波数ごとに測定した測定値（パワー）を、周波数に対応づけたものである。
【００２７】
測定データ読出部（測定手段）２４は、測定データ記録部２２から測定データを読み出す。なお、測定データ読出部２４は、測定データ記録部２２に記録された測定データに基づき、検波器１８により検波された信号のパワーの極大値の検出も行う。ただし、測定データ読出部２４が極大値の検出を行う周波数およびパワーの範囲は、ピーク判定領域決定部３８により決定される。
【００２８】
表示器（表示手段）２８は、測定データ読出部２４の出力を表示する。表示器２８の表示画面の一例を図２に示す。表示器２８は、縦軸にパワー、横軸に周波数をとって、測定対象信号を表示する。表示されているグラフをスペクトラム２８０という。図２に示す例では、スペクトラム２８０はパワーが大きくなる部分である山２８０ａ、２８０ｂを有する。山２８０ｂのピーク（極大値）２８０ｃにおけるパワーの値を正確に知りたい場合がある。このような場合に、測定データ読出部２４によるピークの検出が行われる。
【００２９】
タッチパネル（部位指定手段）３２およびポインティングデバイス（部位指定手段）３４は、表示画面における部位を指定するためのものである。
【００３０】
タッチパネル（部位指定手段）３２は、利用者の指などの接触を検知する。タッチパネル３２は表示画面に設けられている。よって、利用者が指などで表示画面に接触すると、タッチパネル３２は接触された部位を検出する。タッチパネル３２による部位の指定法は図３に示すように二種類ある。一つの方法は、図３（ａ）に示すように、表示画面上の一点３２ａに指などを接触させるものである。もう一つの方法は、図３（ｂ）に示すように、表示画面上に長方形状の閉じた領域３２ｂを、指などを表示画面に接触させながら描くものである。
【００３１】
ポインティングデバイス（部位指定手段）３４は、表示画面にマーカを表示させておき、操作量に応じて移動させることにより部位を指定する。例えば、マウスのようなものである。マウスは、マウスを動かした量に応じて表示画面上のマーカが移動する。ポインティングデバイス３４による部位の指定法は図４に示すように二種類ある。一つの方法は、図４（ａ）に示すように、表示画面上の一点３４ａにマーカを移動させるものである。もう一つの方法は、図４（ｂ）に示すように、表示画面上に長方形状の閉じた領域３４ｂを、マーカを移動させながら描くものである。
【００３２】
指定部位判定部３６は、タッチパネル３２およびポインティングデバイス３４により指定された部位の座標を判定する。
【００３３】
ピーク判定領域決定部（動作決定手段）３８は、タッチパネル３２およびポインティングデバイス３４により指定された部位に基づき、測定データ読出部２４が極大値の検出を行う周波数およびパワーの範囲（検出範囲という）を決定する。
【００３４】
指あるいはマーカにより長方形状の閉じた領域３２ｂ、３４ｂを描いた場合は、その領域を検出範囲とすればよい。例えば、図３（ｂ）および図４（ｂ）の例では、周波数がｆ１〜ｆ２、パワーがＰ１〜Ｐ２の範囲を検出範囲とする。
【００３５】
指（マーカ）により一点３２ａ（一点３４ａ）を指定した場合は、その一点の座標から所定値を加算または減算した値を検出範囲とすればよい。例えば、図５の例では、一点３２ａの座標を（ｆ０，Ｐ０）とすれば、周波数がｆ１〜ｆ２、パワーがＰ１〜Ｐ２の範囲を検出範囲とする。ただし、ｆ１＝ｆ０−Δｆ、ｆ２＝ｆ０＋Δｆ、Ｐ１＝Ｐ０−ΔＰ、Ｐ２＝Ｐ０＋ΔＰである。
【００３６】
次に、第一の実施形態の動作を説明する。
【００３７】
測定対象信号は、ミキサ１４により、ローカル発振器１２の発するローカル信号と混合される。ただし、ローカル信号は、掃引信号発生器１０が発生する掃引信号により周波数掃引されている。ミキサ１４の出力から、中間周波数フィルタ１６により、所定の中間周波数の信号が取り出される。所定の中間周波数の信号は、検波器１８により検波され、測定対象信号における周波数ごとのパワーが得られる。測定されたパワーはＡ／Ｄ変換器２０によりデジタル信号にされ、測定データ記録部２２に記録される。ただし、測定されたパワーは周波数に対応づけて、測定データとして記録される。測定データは、測定データ読出部２４により読み出される。そして、表示器２８により、縦軸にパワー、横軸に周波数をとったグラフとして、測定対象信号が表示される（図２参照）。
【００３８】
ここで、スペクトラムアナライザ１の利用者が、山２８０ｂのピーク（極大値）２８０ｃにおけるパワーの値を正確に知りたいものとする。
【００３９】
このとき、利用者は、指を表示画面上のピーク（極大値）２８０ｃの付近の一点３２ａに触れるか（図３（ａ）参照）、あるいは、ピーク（極大値）２８０ｃを囲む長方形状の閉じた領域３２ｂを表示画面上に指で描く（図３（ｂ）参照）。すると、表示画面に設けられたタッチパネル３２が指の接触を検知する。指定部位判定部３６は、タッチパネル３２により指定された部位の座標を判定する。ピーク判定領域決定部３８は、一点３２ａの座標から加算または減算した値（図５参照）あるいは領域３２ｂを検出範囲とする。
【００４０】
あるいは、利用者は表示画面上のマーカを表示画面上のピーク（極大値）２８０ｃの付近の一点３４ａに移動させるか（図４（ａ）参照）、あるいは、ピーク（極大値）２８０ｃを囲む長方形状の閉じた領域３４ｂを表示画面上にマーカで描く（図４（ｂ）参照）。すると、指定部位判定部３６は、ポインティングデバイス３４により指定された部位の座標を判定する。ピーク判定領域決定部３８は、一点３４ａの座標から加算または減算した値（図５参照）あるいは領域３４ｂを検出範囲とする。
【００４１】
測定データ読出部２４は、検出範囲において、検波器１８により検波された信号のパワーの極大値を検出する。すなわち、山２８０ｂ（図２参照）におけるパワーの極大値（ピーク（極大値）２８０ｃにおけるパワー）を検出する。極大値は、Ａ／Ｄ変換器２０によりデジタル信号にされ、測定データ記録部２２に記録される。そして、測定データ読出部２４により読み出される。そして、表示器２８により、極大値が表示される。
【００４２】
第一の実施形態によれば、表示画面に指で触れるか、あるいは、マウスなどのポインティングデバイス３４によりマーカを動かすかすれば、測定データ読出部２４の検出範囲を設定できる。よって、検出範囲の設定が容易である。
【００４３】
第二の実施形態
図６は、第二の実施形態にかかるスペクトラムアナライザ（信号測定表示装置）１の構成を示すブロック図である。第二の実施形態にかかるスペクトラムアナライザ（信号測定表示装置）１は、掃引信号発生器１０、ローカル発振器１２、ミキサ１４、中間周波数フィルタ１６、検波器（測定手段）１８、Ａ／Ｄ変換器２０、測定データ記録部２２、測定データ読出部２４、表示器（表示手段）２８、タッチパネル（部位指定手段）３２、ポインティングデバイス（部位指定手段）３４、指定部位判定部３６、拡大領域決定部（動作決定手段）４０を備える。以下、第一の実施形態と同様な部分は、同一の番号を付して説明を省略する。
【００４４】
掃引信号発生器１０、ローカル発振器１２、ミキサ１４、中間周波数フィルタ１６、検波器（測定手段）１８、Ａ／Ｄ変換器２０、測定データ記録部２２、測定データ読出部２４および表示器（表示手段）２８は、第一の実施形態と同様である。
【００４５】
タッチパネル（部位指定手段）３２およびポインティングデバイス（部位指定手段）３４は、表示画面における部位を指定するためのものである。
【００４６】
タッチパネル（部位指定手段）３２は、利用者の指などの接触を検知する。タッチパネル３２は表示画面に設けられている。よって、利用者が指などで表示画面に接触すると、タッチパネル３２は接触された部位を検出する。タッチパネル３２による部位の指定法は、図７（ａ）に示すように、表示画面上の一点３２ｃ、３２ｄに指などを接触させるものである。
【００４７】
ポインティングデバイス（部位指定手段）３４は、表示画面にマーカを表示させておき、操作量に応じて移動させることにより部位を指定する。例えば、マウスのようなものである。マウスは、マウスを動かした量に応じて表示画面上のマーカが移動する。ポインティングデバイス３４による部位の指定法は、図７（ｂ）に示すように、表示画面上の一点３４ｃ、３４ｄにマーカを移動させるものである。
【００４８】
指定部位判定部３６は、タッチパネル３２およびポインティングデバイス３４により指定された部位の座標を判定する。
【００４９】
拡大領域決定部（動作決定手段）４０は、タッチパネル３２およびポインティングデバイス３４により指定された部位に基づき、表示器２８が測定対象信号を拡大表示する領域を決定する。決定された領域は、測定データ読出部２４に伝えられ、かかる領域における測定データを測定データ読出部２４が読み出す。
【００５０】
指により一点３２ｃ、３２ｄを指定した場合は、それぞれの点の座標の周波数成分の間の測定対象信号を拡大表示させる。例えば、図８の例では、一点３２ｃの座標の周波数成分をｆ１、一点３２ｄの座標の周波数成分をｆ２とすれば、周波数がｆ１〜ｆ２の範囲を図９に示すように表示する。すなわち、周波数がｆ１未満あるいはｆ２を超えるものは表示しない。なお、表示画面上の一点３４ｃ、３４ｄにマーカを移動させた場合も同様である。
【００５１】
次に、第二の実施形態の動作を説明する。
【００５２】
測定対象信号は、ミキサ１４により、ローカル発振器１２の発するローカル信号と混合される。ただし、ローカル信号は、掃引信号発生器１０が発生する掃引信号により周波数掃引されている。ミキサ１４の出力から、中間周波数フィルタ１６により、所定の中間周波数の信号が取り出される。所定の中間周波数の信号は、検波器１８により検波され、測定対象信号における周波数ごとのパワーが得られる。測定されたパワーはＡ／Ｄ変換器２０によりデジタル信号にされ、測定データ記録部２２に記録される。ただし、測定されたパワーは周波数に対応づけて、測定データとして記録される。測定データは、測定データ読出部２４により読み出される。そして、表示器２８により、縦軸にパワー、横軸に周波数をとったグラフとして、測定対象信号が表示される（図２参照）。
【００５３】
ここで、スペクトラムアナライザ１の利用者が、山２８０ｂの部分を拡大表示させたいものとする。
【００５４】
このとき、利用者は、指を表示画面上の一点３２ｃ、３２ｄを指により指定する（図７（ａ）参照）。すると、表示画面に設けられたタッチパネル３２が指の接触を検知する。指定部位判定部３６は、タッチパネル３２により指定された部位の座標を判定する。拡大領域決定部４０は、一点３２ｃ、３２ｄの座標の周波数成分の間の測定対象信号を拡大表示させることを決定し（図８参照）、測定データ読出部２４に伝える。
【００５５】
あるいは、利用者は表示画面上の一点３４ｃ、３４ｄにマーカを移動させる（図７（ｂ）参照）。すると、指定部位判定部３６は、ポインティングデバイス３４により指定された部位の座標を判定する。拡大領域決定部４０は、一点３４ｃ、３４ｄの座標の周波数成分の間の測定対象信号を拡大表示させることを決定し、測定データ読出部２４に伝える。
【００５６】
測定データ読出部２４は、周波数ｆ１〜ｆ２の測定対象データを読み出す。測定データ読出部２４により読み出された測定対象データは、表示器２８により、表示される。周波数ｆ１〜ｆ２の領域には山２８０ｂが含まれており、山２８０ｂが拡大表示される（図９参照）。
【００５７】
第二の実施形態によれば、表示画面に指で触れるか、あるいは、マウスなどのポインティングデバイス３４によりマーカを動かすかすれば、どの部分を拡大表示するかを設定できる。よって、拡大表示の設定が容易である。
【００５８】
なお、図９に示すような状態でさらに、表示画面上の特定の部位に指で触れる、あるいは、マーカを動かした場合は、元の表示画面（図２参照）に復帰する、すなわち縮小表示させるようにしてもよい。
【００５９】
第三の実施形態
図１０は、第三の実施形態にかかるスペクトラムアナライザ（信号測定表示装置）１の構成を示すブロック図である。第三の実施形態にかかるスペクトラムアナライザ（信号測定表示装置）１は、掃引信号発生器１０、ローカル発振器１２、ミキサ１４、中間周波数フィルタ１６、検波器（測定手段）１８、Ａ／Ｄ変換器２０、測定データ記録部２２、測定データ読出部２４、表示器（表示手段）２８、タッチパネル（部位指定手段）３２、ポインティングデバイス（部位指定手段）３４、指定部位判定部３６、表示領域決定部（動作決定手段）４２を備える。以下、第二の実施形態と同様な部分は、同一の番号を付して説明を省略する。
【００６０】
掃引信号発生器１０、ローカル発振器１２、ミキサ１４、中間周波数フィルタ１６、検波器（測定手段）１８、Ａ／Ｄ変換器２０、測定データ記録部２２、測定データ読出部２４および表示器（表示手段）２８は、第二の実施形態と同様である。
【００６１】
タッチパネル（部位指定手段）３２およびポインティングデバイス（部位指定手段）３４は、表示画面における部位を指定するためのものである。
【００６２】
タッチパネル（部位指定手段）３２は、利用者の指などの接触を検知する。タッチパネル３２は表示画面に設けられている。よって、利用者が指などで表示画面に接触すると、タッチパネル３２は接触された部位を検出する。タッチパネル３２による部位の指定法を、図１１を参照して説明する。
【００６３】
図１１に示すように、表示画面上の上方に領域３２ｅ、左方に領域３２ｆ、下方に領域３２ｇ、右方に領域３２ｈがある。ここで、領域３２ｅ〜ｈのいずれかに指などを接触させる。
【００６４】
ポインティングデバイス（部位指定手段）３４は、表示画面にマーカを表示させておき、操作量に応じて移動させることにより部位を指定する。例えば、マウスのようなものである。マウスは、マウスを動かした量に応じて表示画面上のマーカが移動する。ポインティングデバイス３４による部位の指定法は、表示画面上の領域３２ｅ〜ｈのいずれかにマーカを移動させるものである。
【００６５】
指定部位判定部３６は、タッチパネル３２およびポインティングデバイス３４により指定された部位の座標を判定する。
【００６６】
表示領域決定部（動作決定手段）４２は、タッチパネル３２およびポインティングデバイス３４により指定された部位に基づき、表示器２８が測定対象信号を表示する領域を決定する。決定された領域は、測定データ読出部２４に伝えられ、かかる領域における測定データを測定データ読出部２４が読み出す。
【００６７】
指により領域３２ｈを指定した場合は、図１２に示すように、表示領域を右側に移動させる。指により領域３２ｇを指定した場合は、図１３に示すように、表示領域を下側に移動させる。指により領域３２ｅ、ｆを指定した場合は、表示領域を上側、左側に移動させる。なお、表示画面上の領域３２ｅ〜ｈにマーカを移動させた場合も同様である。
【００６８】
次に、第三の実施形態の動作を説明する。
【００６９】
測定対象信号は、ミキサ１４により、ローカル発振器１２の発するローカル信号と混合される。ただし、ローカル信号は、掃引信号発生器１０が発生する掃引信号により周波数掃引されている。ミキサ１４の出力から、中間周波数フィルタ１６により、所定の中間周波数の信号が取り出される。所定の中間周波数の信号は、検波器１８により検波され、測定対象信号における周波数ごとのパワーが得られる。測定されたパワーはＡ／Ｄ変換器２０によりデジタル信号にされ、測定データ記録部２２に記録される。ただし、測定されたパワーは周波数に対応づけて、測定データとして記録される。測定データは、測定データ読出部２４により読み出される。そして、表示器２８により、縦軸にパワー、横軸に周波数をとったグラフとして、測定対象信号が表示される（図２参照）。
【００７０】
ここで、利用者は、指を表示画面上の領域３２ｈに触れる（図１１参照）。すると、表示画面に設けられたタッチパネル３２が指の接触を検知する。指定部位判定部３６は、タッチパネル３２により指定された部位が、領域３２ｅ〜ｈのいずれであるかを判定する。表示領域決定部４２は、領域３２ｈに指が接触すると、表示領域を右側に移動させることを決定し（図１２参照）、測定データ読出部２４に伝える。
【００７１】
あるいは、利用者は表示画面上の領域３２ｈにマーカを移動させる。すると、指定部位判定部３６は、ポインティングデバイス３４により指定された部位が、領域３２ｅ〜ｈのいずれであるかを判定する。表示領域決定部４２は、領域３２ｈに指が接触すると、表示領域を右側に移動させることを決定し（図１２参照）、測定データ読出部２４に伝える。
【００７２】
測定データ読出部２４は、読み出す測定対象データの周波数の範囲の上限および下限を同じ値だけ増加させる。測定データ読出部２４により読み出された測定対象データは、表示器２８により、表示される。表示領域が右側に移動している（図１２参照）。いわゆる、スクロールである。
【００７３】
第三の実施形態によれば、表示画面に指で触れるか、あるいは、マウスなどのポインティングデバイス３４によりマーカを動かすかすれば、どの部分を表示するかを設定できる。よって、表示領域の設定（いわゆる、スクロール）が容易である。
【００７４】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分、例えば、ピーク判定領域決定部３８、拡大領域決定部４０あるいは表示領域決定部４２を実現するプログラムを記録したメディアを読み取らせて、ハードディスクにインストールする。このような方法でも、上記の機能を実現できる。
【図面の簡単な説明】
【図１】第一の実施形態にかかるスペクトラムアナライザ（信号測定表示装置）１の構成を示すブロック図である。
【図２】表示器２８の表示画面の一例を示す図である。
【図３】タッチパネル３２による部位の指定法を示す図である。
【図４】ポインティングデバイス３４による部位の指定法を示す図である。
【図５】ピーク判定領域決定部３８による検出範囲の指定法を示す図である。
【図６】第二の実施形態にかかるスペクトラムアナライザ（信号測定表示装置）１の構成を示すブロック図である。
【図７】タッチパネル３２による部位の指定法を示す図（図７（ａ））およびポインティングデバイス３４による部位の指定法を示す図（図７（ｂ））である。
【図８】指により一点３２ｃ、３２ｄを指定した状態を示す図である。
【図９】拡大表示の表示画面を示す図である。
【図１０】第三の実施形態にかかるスペクトラムアナライザ（信号測定表示装置）１の構成を示すブロック図である。
【図１１】タッチパネル３２による部位の指定法を説明する図である。
【図１２】表示領域を右側に移動させたときの表示画面を示す図である。
【図１３】表示領域を下側に移動させたときの表示画面を示す図である。
【符号の説明】
１  スペクトラムアナライザ（信号測定表示装置）
１８  検波器（測定手段）
２４  測定データ読出部
２８  表示器（表示手段）
３２  タッチパネル（部位指定手段）
３４  ポインティングデバイス（部位指定手段）
３６  指定部位判定部
３８  ピーク判定領域決定部（動作決定手段）
４０  拡大領域決定部
４２  表示領域決定部
【図１】
2004347320.tif 000003
【図２】
2004347320.tif 000004
【図３】
2004347320.tif 000005
【図４】
2004347320.tif 000006
【図５】
2004347320.tif 000007
【図６】
2004347320.tif 000008
【図７】
2004347320.tif 000009
【図８】
2004347320.tif 000010
【図９】
2004347320.tif 000011
【図１０】
2004347320.tif 000012
【図１１】
2004347320.tif 000013
【図１２】
2004347320.tif 000014
【図１３】
2004347320.tif 000015